(57)【要約】【課題】  ＩＣカード製造者毎に定めたコマンドデータに基づくコマンドを順次送り、キーデータの書き換えを許可する応答が得られたＩＣカードを用いてＩＤカードを発行するＩＤカード発行システム、及びＩＤカード発行システムの制御方法を提供すること。【解決手段】  キーデータを書き換えるコマンドを実行する際に参照するコマンドデータ参照テーブルをＩＣカード製造者毎に設け、前記コマンドデータ参照テーブルに登録されている第１のＩＣカード製造者のコマンドデータ参照テーブルを参照してキーデータを書き換えるコマンドを実行した結果、キーデータの書き換えを不可とするエラーの応答を得た場合、次のＩＣカード製造者のコマンドデータ参照テーブルを参照して、キーデータを書き換えるコマンドを実行する制御手段を有することを特徴とするＩＤカード発行システム。【選択図】        図４
2007080159.tif 000002
【特許請求の範囲】
【請求項１】
ＩＣカード製造者によりキーデータの書き込みがなされたＩＣカードから、前記キーデータの内容を書き換えた後、所定のファイルの作成、あるいはデータの書き込みを行って目的のＩＤカードを発行するＩＤカード発行システムにおいて、
キーデータを書き換えるコマンドを実行する際に参照するコマンドデータ参照テーブルをＩＣカード製造者毎に設け、
前記コマンドデータ参照テーブルに登録されている第１のＩＣカード製造者のコマンドデータ参照テーブルを参照してキーデータを書き換えるコマンドを実行した結果、キーデータの書き換えを不可とするエラーの応答を得た場合、
次のＩＣカード製造者のコマンドデータ参照テーブルを参照して、キーデータを書き換えるコマンドを実行する、
制御手段を有することを特徴とするＩＤカード発行システム。
【請求項２】
前記制御手段は、
前記コマンドデータ参照テーブルに登録されている第１のＩＣカード製造者のコマンドデータ参照テーブルを参照してキーデータを書き換えるコマンドを、予め設定した所定回数実行しても、
キーデータの書き換えを不可とするエラーの応答があった場合、
次のＩＣカード製造者のコマンドデータ参照テーブルを参照して、キーデータを書き換えるコマンドを実行する、
ことを特徴とする請求項１に記載のＩＤカード発行システム。
【請求項３】
前記制御手段は、
全てのＩＣ製造者のコマンドデータ参照テーブルを参照してコマンドを実行しても、ＩＣカードからキーデータの書き換えを不可とするエラーの応答があった場合、該ＩＣカードによるカードの発行を中止することを特徴とする請求項１、又は２に記載のＩＤカード発行システム。
【請求項４】
ＩＣカード製造者によりキーデータの書き込みがなされたＩＣカードから、前記キーデータの内容を書き換えた後、所定のファイルの作成、あるいはデータの書き込みを行って目的のＩＤカードを発行するＩＤカード発行システムの制御方法において、
キーデータを書き換えるコマンドを実行する際に参照するコマンドデータ参照テーブルをＩＣカード製造者毎に設け、
前記コマンドデータ参照テーブルに登録されている第１のＩＣカード製造者のコマンドデータ参照テーブルを参照してキーデータの書き換えをするコマンドを実行した結果、キーデータの書き換えを不可とするエラーの応答を得た場合、
次のＩＣカード製造者のコマンドデータ参照テーブルを参照して、キーデータを書き換えるコマンドを実行することを特徴とするＩＤカード発行システムの制御方法。
【請求項５】
前記コマンドデータ参照テーブルに登録されている第１のＩＣカード製造者のコマンドデータ参照テーブルを参照してキーデータを書き換えるコマンドを、予め設定した所定回数実行しても、
キーデータの書き換えを不可とするエラーの応答があった場合、
次のＩＣカード製造者のコマンドデータ参照テーブルを参照して、キーデータを書き換えるコマンドを実行する、
ことを特徴とする請求項４に記載のＩＤカード発行システムの制御方法。
【請求項６】
全てのＩＣ製造者のコマンドデータ参照テーブルを参照してコマンドを実行しても、ＩＣカードからキーデータの書き換えを不可とするエラーの応答があった場合、該ＩＣカードによるカードの発行を中止することを特徴とする請求項４、又は５に記載のＩＤカード発行システムの制御方法。
【発明の詳細な説明】
【技術分野】
【０００１】
本発明は、ＩＣチップを内蔵するＩＤカードを発行するＩＤカード発行システム、及びＩＤカード発行システムの制御方法に関する。
【背景技術】
【０００２】
従来から、カードに顔画像と、所定の記載事項が記載されているＩＤカードは、個人を証明するための身分証明書、あるいは個人の所有する資格を証明する資格証明書として、広く一般に使用されている。
【０００３】
これらのＩＤカードの表面には、個人を特定するための写真と主要なデータとを適宜な画像形成手段により画像形成できる画像形成領域を設け、裏面には、定められた共通事項を印刷した領域と、ボールペン等の一般的な筆記用具にて記載できる筆記領域とを設けたものが多い。
【０００４】
最近では、このようなＩＤカードの発行、検索、照会等の業務をコンピュータシステムにて迅速に処理するために、あるいは、ＩＤカードの偽変造を防止するためにＩＣチップを内蔵したカード、一般にＩＣカードと呼ばれるカードを使用する例が増えている。
【０００５】
ＩＣカードは、ＩＤカードに限らず、キャッシュカードやクレジットカードをはじめ、様々な使用目的に対応するために、多種多様な構造、機能のＩＣカードが供給されている。
【０００６】
このように多様な目的別に、全て固有の仕様からなるＩＣカードを作成し、目的とするカードを発行することはコスト面、利便性と点で問題が大きいことから、当初から多目的で使用されることを前提にした仕様からなるＩＣカード（多目的ＩＣカード）も一般的になってきた。
【０００７】
このような多目的ＩＣカードが製造され、製造されたＩＣカードを利用して所定のＩＤカードが発行されるまでの、ＩＣカード製造者と、供給されたカードを基にしてカードを発行するＩＤカード発行者との関係は、大凡、次のような関係にある。
【０００８】
ＩＣカード製造者はカードに、製造者に関連する情報、例えば「カード識別子」と呼ばれるＩＣカード製造者に割り当てられた情報の書き込み、ＩＣカードのメモリ内へのファイルの割り当て、及び、ＩＣカードとカード読み出し書き込み装置との間に行われるデータの授受の正当性を管理するためのキーを構成する「キーデータ」の書き込みを行ってＩＤカード発行者に供給する。
【０００９】
ＩＤカード発行者は、先ず、ＩＣカード製造者の格納したキーデータの書き換えを行うことによって、ＩＤカード発行者、及びＩＤカード発行者が許可する者のみが、カードとの情報交換ができるようにする。
【００１０】
即ち、ＩＣカード製造者といえども、キーデータを書き換えられたＩＣカードとは情報交換ができなくなり、ＩＤカード発行者のみがＩＣカードとの情報交換ができるようにすることにより、発行されるＩＤカードの機密保持上の安全性が確保される。
【００１１】
ＩＤカード発行者が一つの仕様を提示して複数のＩＣカード製造者からＩＣカードの供給を受け、ＩＣカードのキーデータの書き換えを行う場合、最初にＩＣカード製造者の識別子を読み出し、ＩＣカード製造者毎に設けられたコマンドデータに基づくコマンドを実行して、上述したキーデータの書き換えを行う。
【００１２】
このような状況に対応する方法として、カード読み取り書き込み装置をＩＣカードの種類毎に設けて、複数種の探索信号を送受することによりＩＣカードの識別子を検出し、識別したカードに対応する専用のカード読み出し書き込み装置との間でデータの授受を行うという方法（例えば、特許文献１参照。）も知られている。しかしながら、この方法は、カードとカード読み出し書き込み装置との間で行われる通信に関わる仕様、例えば変調方式の仕様が異なる複数種カードを扱うシステムに置いては有効であるが、通信に関する仕様が同じで、単に、ＩＤカード発行者が、複数のＩＣカード製造者から供給されたＩＣカードを用いて、所定のＩＤカード発行業務に専用に使用にする装置としては、コスト的に問題がある。
【特許文献１】特開２００１−２８３１６２号公報（第１−２頁）
【発明の開示】
【発明が解決しようとする課題】
【００１３】
本発明は、上述したような状況に鑑みてなされたもので、その目的は、ＩＣカード製造者毎に定めたコマンドデータに基づくコマンドを順次送り、キーデータの書き換えを許可する応答が得られたＩＣカードを用いてＩＤカードを発行するＩＤカード発行システム、及びＩＤカード発行システムの制御方法を提供することにある。
【課題を解決するための手段】
【００１４】
上記課題は以下に記載する発明により達成される。
（１）  ＩＣカード製造者によりキーデータの書き込みがなされたＩＣカードから、前記キーデータの内容を書き換えた後、所定のファイルの作成、あるいはデータの書き込みを行って目的のＩＤカードを発行するＩＤカード発行システムにおいて、
キーデータを書き換えるコマンドを実行する際に参照するコマンドデータ参照テーブルをＩＣカード製造者毎に設け、
前記コマンドデータ参照テーブルに登録されている第１のＩＣカード製造者のコマンドデータ参照テーブルを参照してキーデータを書き換えるコマンドを実行した結果、キーデータの書き換えを不可とするエラーの応答を得た場合、
次のＩＣカード製造者のコマンドデータ参照テーブルを参照して、キーデータを書き換えるコマンドを実行する、
制御手段を有することを特徴とするＩＤカード発行システム。
（２）前記制御手段は、
前記コマンドデータ参照テーブルに登録されている第１のＩＣカード製造者のコマンドデータ参照テーブルを参照してキーデータを書き換えるコマンドを、予め設定した所定回数実行しても、
キーデータの書き換えを不可とするエラーの応答があった場合、
次のＩＣカード製造者のコマンドデータ参照テーブルを参照して、キーデータを書き換えるコマンドを実行する、
ことを特徴とする（１）に記載のＩＤカード発行システム。
（３）前記制御手段は、
全てのＩＣ製造者のコマンドデータ参照テーブルを参照してコマンドを実行しても、ＩＣカードからキーデータの書き換えを不可とするエラーの応答があった場合、該ＩＣカードによるカードの発行を中止することを特徴とする（１）、又は（２）に記載のＩＤカード発行システム。
（４）ＩＣカード製造者によりキーデータの書き込みがなされたＩＣカードから、前記キーデータの内容を書き換えた後、所定のファイルの作成、あるいはデータの書き込みを行って目的のＩＤカードを発行するＩＤカード発行システムの制御方法において、
キーデータを書き換えるコマンドを実行する際に参照するコマンドデータ参照テーブルをＩＣカード製造者毎に設け、
前記コマンドデータ参照テーブルに登録されている第１のＩＣカード製造者のコマンドデータ参照テーブルを参照してキーデータの書き換えをするコマンドを実行した結果、キーデータの書き換えを不可とするエラーの応答を得た場合、
次のＩＣカード製造者のコマンドデータ参照テーブルを参照して、キーデータを書き換えるコマンドを実行することを特徴とするＩＤカード発行システムの制御方法。
（５）前記コマンドデータ参照テーブルに登録されている第１のＩＣカード製造者のコマンドデータ参照テーブルを参照してキーデータを書き換えるコマンドを、予め設定した所定回数実行しても、
キーデータの書き換えを不可とするエラーの応答があった場合、
次のＩＣカード製造者のコマンドデータ参照テーブルを参照して、キーデータを書き換えるコマンドを実行する、
ことを特徴とする（４）に記載のＩＤカード発行システムの制御方法。
（６）全てのＩＣ製造者のコマンドデータ参照テーブルを参照してコマンドを実行しても、ＩＣカードからキーデータの書き換えを不可とするエラーの応答があった場合、該ＩＣカードによるカードの発行を中止することを特徴とする（４）、又は（５）に記載のＩＤカード発行システムの制御方法。
【発明の効果】
【００１５】
請求項１に記載の発明によれば、予め、ＩＣカード製造者毎にコマンドとコマンドデータとを登録したコマンドデータ参照テーブルを設け、キーデータを書き換えるコマンドに対する応答から、キーデータの書き換えができないことが判った時に、自動的にコマンドデータ参照テーブル中の次のＩＣカード製造者に対応するコマンドデータに基づくコマンドを実行させることにより、キーデータの書き換えを許可する応答を得ることによって、複数のＩＣカード製造者から供給されたＩＣカードを用いても迅速にＩＤカードの発行ができるＩＤカード発行システムが実現される。
【００１６】
請求項４に記載の発明によれば、予め、ＩＣカード製造者毎にコマンドとコマンドデータとを登録したコマンドデータ参照テーブルを設け、キーデータを書き換えるコマンドに対する応答から、キーデータの書き換えができないことが判った時に、自動的にコマンドデータ参照テーブル中の次のＩＣカード製造者に対応するコマンドデータに基づくコマンドを実行させることにより、キーデータの書き換えを許可する応答を得ることによって、複数のＩＣカード製造者から供給されたＩＣカードを用いても迅速にＩＤカードの発行ができるＩＤカード発行システムの制御方法が実現される。
【発明を実施するための最良の形態】
【００１７】
以下、図を基に本発明の実施の形態を説明する。
【００１８】
図１は本発明によるＩＤカード発行システムの概念図である。
【００１９】
図に示すように、ＩＤカード発行システムはコンピュータＣＲ１と、これに接続されたカードプリンタＰＲ１とからなり、カードプリンタＰＲ１はコンピュータＣＲ１から送られる画像形成情報と、およびＩＣカードが内蔵するＩＣチップへの書き込み情報とを受け、ＩＣカードに所定の画像形成と情報の書き込みとを行ってＩＤカードを作成する。
【００２０】
カードプリンタＰＲ１は、ホッパーＨＰ１、ＨＰ２、ＨＰ３、カード給送手段１０、カード搬送手段２０、画像形成手段Ｙ、Ｍ、Ｃ、Ｋ、保護膜形成手段ＨＳ１、オーバーコート手段ＨＳ２、読み取り書き込み手段ＲＷ、第１スタッカ３０、第２スタッカ４０、制御手段ＣＮ１等から構成される
ホッパーＨＰ１、ＨＰ２、ＨＰ３には、ＩＣカードが画像形成のための受像層面を上に向け積層載置されている。三つのホッパーには、全て同じのＩＣカードを載置しても良いし、予め異なる印刷を施したＩＣカードを載置して、コンピュータＣＲ１から送られた情報を基にして、ＩＣカードを送り出すホッパーを選択するようにしても良い。
【００２１】
また、ホッパーＨＰ１、ＨＰ２、ＨＰ３にＩＣカードを載置する代わりにＩＣカードを収納した専用のカートリッジを準備して、このカートリッジを所定位置にセットするように構成しても良い。
【００２２】
載置されたＩＣカードは、給送手段１０により一枚ずつに分離され、搬送手段２０により画像形成手段Ｙに送られる。なお、搬送手段２０とは、給送手段１０から送られたＩＣカードを所定のスタッカまで搬送する搬送機構全体を指している。
【００２３】
画像形成手段Ｙにおいては、コンピュータＣＲ１から制御手段ＣＮ１を介して送られたイエロー画像がＩＣカード上に形成される。イエロー画像を担持した前記ＩＣカードは、搬送手段２０により次の画像形成手段Ｍに搬送され、所定位置にはマゼンタの画像が形成される。同様にして、画像形成手段Ｃにてシアン画像が、画像形成手段Ｋでは黒の画像が形成される。なお、画像形成手段Ｙ、Ｍ、Ｃ、Ｋは、転写リボンをサーマルヘッドでＩＣカードに押圧して画像形成を行う熱溶融転写方式によるもので、公知のものである。
【００２４】
画像形成がなされた前記ＩＣカードは、画像形成面が上を向くようにして、保護膜形成手段ＨＳ１に送られ、形成された画像を保護するための保護シートが面上に貼り付けられる。
【００２５】
次の、コーティング手段ＨＳ２では、さらなる保護のためのコーティングがＩＣカード面上に施される。
【００２６】
画像形成と保護層の形成を終えたＩＣカードは、読み取り書き込み手段ＲＷにより、製造者によりＩＣカードのメモリに格納されているキーデータの読み出しが行われる。所定のキーデータが確認されると、ＩＤカード発行者による新たなキーデータの書き込みが行われる。
【００２７】
次いで、前記新たなキーデータが読み出され、使用許可されたカードであることが確認されると、メモリ内のファイルにＩＣカード表面に形成された画像情報に対応する所定の情報が書き込まれる。
【００２８】
書き込まれた情報は直ちに読み出され、その内容が書き込んだ情報と一致しているか否かの確認が行われる。確認の結果、一致しているとの結果が得られたＩＣカードは、正しく情報が書き込まれたものとして、搬送手段２０によって、良品を収納するスタッカ３０に送られ、画像形成と情報書き込みがなされたＩＤカードの作成が完了する。
【００２９】
しかしながら、上述の確認の結果、書き込んだ情報と読み出した情報とが一致しなかった場合、もしくは情報を正常に読み出せなかった場合には、ＩＣカードは、廃棄すべき不良カードとして搬送手段２０により廃棄スタッカ４０に送られる。
【００３０】
図２は、ＩＤカード発行システムの制御関係を示すブロック図である。
【００３１】
制御手段ＣＮ１はＣＰＵ（ＣＰＵ１）、メモリＭ１、入出力Ｉ／Ｏインターフェイス、通信用インターフェイス、各手段を駆動する回路等を有するコンピュータシステムであり、コンピュータＣＲ１とは通信手段Ｔにて接続されている。前記通信手段Ｔは画像の通信に支障を来さない速度のものであれば、適宜なものでよい。カードプリンタＰＲ１を構成する各手段は、メモリＭ１に格納されている所定のプログラムが実行されることにより制御される。
【００３２】
なお、本図においては、本発明の実施の形態の説明に直接関係しないブロックの記載が省略されている。
【００３３】
図３は、読み取り書き込み手段とＩＣカードとで交わされる情報交換のコマンドを説明する図である。
【００３４】
画像形成を終えたＩＣカードが読み取り書き込み手段ＲＷに搬送されてくると（図１参照）、読み取り書き込み手段ＲＷから、所定の通信仕様に基づく探索信号（探索コマンド）ＲＥＱが出される。この探索信号は、通常、ＩＣカードからの応答（ＡＴＱ）があるまで、複数回出される。
【００３５】
この応答（ＡＴＱ）を、読み取り書き込み手段ＲＷが受信すると、次いで、予めＩＣカード製造者と、カード発行者との間で決定されているコマンドデータに基づくコマンドを実行してＩＣカードのメモリの所定のエリアに割り当てられているファイルを呼び出す（ＦＩＬＥ  ＳＥＬＥＣＴ）。
【００３６】
読み取り書き込み手段ＲＷは、ＩＣカードからＯＫの応答を得ると、所定のファイルの内容を書き換えるコマンド（ＣＨＡＮＧＥ  ＲＥＦＥＲＥＮＣＥ  ＤＡＴＡ）を送り、これを受け付ける応答（ＲＥＳ）を得て、所定のファイルの内容の書き換えを行う。
【００３７】
キーデータの書き換えは、前記所定のファイルの内容の書き換えの一つである。また、キーデータの書き換えを不可とするエラー、即ち、書き換えの受付を拒否する応答としては、代表的にはデータフィールドのタグが正しくないというエラーがあり、その他、ファイル内のメモリスペースが足りない、キーデータの構造が指定されたものではない、ファイルが既に存在する等がある。
【００３８】
次に、本発明の実施の形態における制御を、フローチャートを用いて説明する。
【００３９】
図４は、コマンドデータの切換の流れを示すフローチャートである。
【００４０】
先ず、ＩＣカードが、読み取り書き込み手段ＲＷの所定位置に搬送されてくると、読み取り書き込み手段ＲＷは、予め、定められた通信方式でポーリング信号（ＲＥＱ）を出力し、ＩＣカードから通信可能との応答（ＡＴＱ）を得ると（ステップＳ１：Ｙ）、ＩＣカードのメモリに割り当てられているファイルを呼び出す（ステップＳ２）。ファイルが呼び出されると（ステップＳ３：Ｙ）、ファイルデータを書き換えるコマンド（ＣＨＡＮＧＥ  ＲＥＦＥＲＥＮＣＥ  ＤＡＴＡ）の実行回数をカウントするカウンタＣＮの内容Ｎと、コマンドデータの変更回数をカウントするカウンタＣＫの内容Ｋとをリセットして（ステップＳ４、ステップＳ５）、キーデータを含むファイルデータを書き換えるコマンド（ＣＨＡＮＧＥ  ＲＥＦＥＲＥＮＣＥ  ＤＡＴＡ）をＩＣカードに送る（ステップＳ６）。
【００４１】
書き換えを受け付ける応答があった場合には（ステップＳ７：Ｙ）、書き換えデータは読み取り書き込み手段ＲＷからＩＣカードに送られ（ステップＳ８）、書き換えができないという応答があった場合には（ステップＳ７：Ｎ）、カウンタＣＮを１つ進ませ（ステップＳ９）、カウンタＣＮの値が予め設定した値ＮＮに到達したか否かが判定される（ステップＳ１０）。
【００４２】
もし、カウンタＣＮの値がＮＮに到達していなかったならば（ステップＳ１０：Ｎ）、再度、ファイルデータを書き換えるコマンド（ＣＨＡＮＧＥ  ＲＥＦＥＲＥＮＣＥ  ＤＡＴＡ）を送るステップ（ステップＳ６）に戻り、もし、ＮＮに到達したならば（ステップＳ１０：Ｙ）、コマンドデータ参照テーブルを参照して、第１のカード製造者に対応するコマンドデータ参照テーブルから、第２のカード製造者に対応するコマンドデータ参照テーブルへ切り換えることによりコマンドデータを変更して（ステップＳ１１）、カウンタＣＫの内容に１を加算する（ステップＳ１２）。
【００４３】
もし、カウンタＣＫの値が予め設定した値ＫＫに到達していなかったならば（ステップＳ１３：Ｎ）、カウンタＣＮをリセットして（ステップＳ１４）、変更されたコマンドデータに基づき、再度、ファイルデータを書き換えるコマンド（ＣＨＡＮＧＥ  ＲＥＦＥＲＥＮＣＥ  ＤＡＴＡ）を実行する（ステップＳ６）。
【００４４】
もし、カウンタＣＫの値がＫＫに到達したならば（ステップＳ１３：Ｙ）、ＩＣカード製造者に対応して設けたコマンドデータ参照テーブルの全てを参照して得たコマンドデータを基にファイルデータを書き換えるコマンド（ＣＨＡＮＧＥ  ＲＥＦＥＲＥＮＣＥ  ＤＡＴＡ）を送っても、書き換えを許可する応答が得られないＩＣカードであるとして、該ＩＣカードでのＩＤカードの発行を中止する（ステップＳ１５）。なお、該ＩＣカードは、廃棄スタッカ４０に送られる。
【００４５】
以上説明したように、本発明のＩＤカード発行システムにおける読み取り書き込み手段ＲＷは、前記応答ＲＥＳの内容が、所定のファイルの内容の書き換えを行うに不適な内容、特に、最初に書き換えを行うキーデータに関わる書き換え不適な内容であった場合、予めＩＣカード製造者に対応してメモリＭ１に設けられているコマンドデータ参照ファイルを参照して、コマンド（ＣＨＡＮＧＥ  ＲＥＦＥＲＥＮＣＥ  ＤＡＴＡ）のコマンドデータを変更して、繰り返し、コマンド（ＣＨＡＮＧＥ  ＲＥＦＥＲＥＮＣＥ  ＤＡＴＡ）をＩＣカードに送るようにしたものである。
【００４６】
このような、新たなコマンドデータに基づくコマンドが順次送られることにより、コマンドデータが適合するコマンドが送られたＩＣカードは、読み取り書き込み手段ＲＷに、前記応答ＲＥＳの内容が、所定のファイルの内容の書き換え許可する応答をすることになり、キーデータの書き換えが可能となり、キーデータが書き換えられたＩＣカードを用いて所定のＩＤカードを発行することができる。
【００４７】
また、図４のステップ６〜１０に表現される請求項２、又は５に記載の発明により、キーデータに関する応答を、より丁寧に確認する請求項１に記載のＩＤカード発行システム、又は請求項４に記載のＩＤカード発行システムの制御方法が実現される。
【００４８】
また、図４のステップ６から１３に表現される請求項３、又は６に記載の発明により、ＩＤカード発行者の仕様を満足しないＩＣカードによるＩＤカードの発行を防止する請求項１に記載のＩＤカード発行システム、又はＩＤカード発行システムの制御方法が実現される。
【図面の簡単な説明】
【００４９】
【図１】ＩＤカード発行システムの概念図である。
【図２】ＩＤカード発行システムの制御関係を示すブロック図である。
【図３】読み取り書き込み手段とＩＣカードとで交わされる情報交換のコマンドを説明する図である。
【図４】コマンドデータの切換の流れを示すフローチャートである。
【符号の説明】
【００５０】
ＣＮ１  制御手段（カードプリンタ）
ＣＲ１  コンピュータ
ＰＲ１  カードプリンタ
ＲＷ  読み取り書き込み手段
【図１】
2007080159.tif 000003
【図２】
2007080159.tif 000004
【図３】
2007080159.tif 000005
【図４】
2007080159.tif 000006